(57)【特許請求の範囲】
【請求項１】
流路横断面の部分変更のための流路壁（１）において、
流路壁（１）は、均一の材料から成りかつ少なくとも部分領域で多層壁であると共に、該部分領域において各層間の隣接表面が互いに結合していないことを特徴とする流路壁（１）。
【請求項２】
流路壁（１）が、少なくとも多層壁領域（５）で２ｍｍに等しいか又は２ｍｍよりも小さい個別壁厚さ（ｄ）を有することを特徴とする請求項１に記載の流路壁（１）。
【請求項３】
流路壁（１）が、一面で少なくとも領域的に他の壁（２５）によって支持されることを特徴とする請求項１に記載の流路壁（１）。
【請求項４】
流路壁（１）が、８００ＭＰａの大きさの強度の材料から成ることを特徴とする請求項１に記載の流路壁（１）。
【請求項５】
多層壁の領域（５）において個別壁厚さ（ｄ）が、ある区間に亘って可撓性の増大のために減少されることを特徴とする請求項１に記載の流路壁（１）。
【請求項６】
多層壁の領域（５）が一次元的又は多次元的に湾曲していることを特徴とする請求項１に記載の流路壁（１）。
【請求項７】
多層壁の流路壁（５）が、流路（１５）の端を形成することを特徴とする請求項１に記載の流路壁（１）。
【請求項８】
多層壁の領域（５）において少なくとも１つの個別壁（９）に他の材料から成る他の層（１２）があることを特徴とする請求項１による流路壁（１）。
【請求項９】
多層壁の流路壁（５）における少なくとも２つの個別壁（８及び９）の間に、他の材料から成る中間層（１３）があることを特徴とする請求項１に記載の流路壁（１）。
【請求項１０】
流路壁（１）の多層壁の領域（５）が、２つ又はそれ以上の流路（１７及び１８）の連結領域（１４）に配設されていることを特徴とする請求項１に記載の流路壁（１）。
【請求項１１】
流路の少なくとも１つの領域において、複数の流路壁（１９及び２０）は、それぞれ１つのスリーブ若しくはプレート（２１及び２２）から成り、そして両スリーブ若しくはプレートが、外方の調整要素（１０）によって少なくとも領域的に局部的に変形可能であることを特徴とする請求項１に記載の流路壁（１）。
【請求項１２】
流路（１５）を形成する２つの流路壁（２６及び２７）の流動方向（２８）における距離ａが、少なくとも領域的に好適な調整システム（２３及び２４）によってある長さｌに渡って０．２ｍｍよりも長く平行に変化可能であることを特徴とする請求項１に記載の流路壁（１）。
【請求項１３】
請求項１から１２までのうちのいずれか１つに記載の領域的に多層壁の流路壁（１）の製造方法において、
流路壁（１）は、段階的に化学的又は物理的分離方法によって、又はスプレー、塗布、ラミネート方法によって、又は焼結方法又は類似の層状に実施可能な方法で製造され、その際多層壁の流路壁（５）において各個別壁（６、７、８、９）の表面は、次の製造段階で新たに塗布された層が、その前に製造された個別壁（６、７、８）の表面と結合しないことを特徴とする前記方法。
【発明の詳細な説明】
【０００１】
【発明の属する技術分野】
本発明は、流路横断面の部分的変更のための流路壁に関するものである。
【０００２】
【従来の技術】
局部的に制限されて調整可能な円形若しくはリング状の流路壁は、ドイツ国特許出願第１１６１４１２号明細書、ドイツ国特許出願第１７０４８５０号明細書、ドイツ国特許出願第２６５４００１号明細書、ドイツ国特許出願第２８２３９９号明細書及びドイツ国特許出願第４０１３６１０号明細書から公知である。局部的に調整可能なスリット状の流路は、ドイツ国特許出願第４４０００６９号明細書並びにドイツ国特許出願第１９５３５９３０号明細書に記載されている。円形の装置では、この技術レベルによれば流路の変形可能な領域は、単一壁で形成されている。この公知の装置の使用は、ねじを介して変形可能にされなければならない比較的剛固な単一壁のリング要素が使用されるという特別な構造の理由で直径が１００ｍｍよりも大きい領域に制限される。小さい流路横断面はこの解決によっては変えられない。
【０００３】
実際に度々望まれることであるが、追加的に流路横断面の局部的に制限されて大きな変形が達成される場合、この構造は同様に好適ではない、そのわけはリング要素の達成可能な絶対的変形は、ドイツ国特許出願第４０１３６１０号明細書による略２００μｍの最もフレキシブルな解決でさえ非常に小さいからである。このことは、リング要素が、リング要素が調整要素の戻り後に再び正確な出発位置をとることを確保するために、その直線弾性的変形領域内でしか変形することが許されないことにある。
【０００４】
しかしドイツ国特許出願第１１６１４１２号明細書に記載されたリング要素は、制限されたフレキシビリティーでは、記載の解決ではシール問題は生じないという利点を有する。ドイツ国特許出願第２６５４００１号明細書並びにドイツ国特許出願第２８２３９９号明細書に記載された解決は、幾分フレキシブルであるが、ある程度の不緊塞性を伴う、そのわけは調整の際にリングはシール面の領域で移動しなければならないからである。追加的にリングは、変形される場合に、流路における僅かな死点地帯を生じ、このことは特に合成樹脂処理用の工具で不所望な材料停滞及び材料流動における材料分解に繋がる得る。
【０００５】
ドイツ国特許出願第４４０００６９号明細書でも、スリット状の流路の変形可能な領域は単一壁のみである。これに対してドイツ国特許出願第１９５３５９３０号明細書には、直線弾性的調整領域が流路に重ね板８を内蔵することによって拡大される装置が記載されている。しかしこの公知の解決は、製造及び機械的強度に関して弱点を有する。所望の個所に重ね板を溶接することは、製造技術的に非常に困難であるか又は不可能である。特別にフレキシブルな非常に薄い板の溶接も多くの問題を伴う。溶接が原理的に可能で、溶接の際に度々隙間を生じる不可避の溶接応力が発生する場合、重ね板の変形可能性は溶接応力によって減少され、追加的に溶接継ぎ目は常に機械的に弱い個所を有する。更にこの解決では、流路を流れる媒体にかかる内圧に対する流路壁の強度は制限される、そのわけはいわゆる流路板のみがその全周に渡って流路体と溶接されているからである。重ね板の残りの板は、公知の解決では流路壁の圧縮強度に対してのみ寄与する、そのわけは重ね板はその４つの側の１つでのみ流路体と溶接されているからである。片側に応力を受ける板が静圧的に見て対象とされる。
【０００６】
最も異なる工業的用途で所望の方法が使用され、その使用される設備若しくは使用されるプロセスでは、流路の特定の領域が公知の解決の記載の欠点を伴うことなしに、できる限り大きな寸法で弾性的にのみ変形することができる。
【０００７】
【発明が解決しようとする課題】
本発明は、技術分野の装置を、一括して技術水準に対して大きな絶対的調整領域及び大きな相対的調整が流路寸法の隣接した領域に関してできる限り追加的な拡大された内圧強度で可能である用に構成することを課題とし、その際同時に、それによって流路壁における不緊塞性も死点地帯も生じ得ずかつ非常に複雑な形状の流路も製造されることができることが確保されるべきである。
【０００８】
本発明によれば、１つの装置が実現され、その装置によって例えば材料が流路を通って搬送され、即ち流路の貫流の際に材料の流動速度は、大幅に手動によって又は制御又は調整によって局部的に制限されて流路壁の部分の純粋に直線弾性的変形によって変えられることができる。しかしこのためには、所定の個所での局部的材料流が、所望の方法で比較的隣接した流路壁領域で調整されることができることが前提である。
【０００９】
【課題を解決するための手段】
この課題は、本発明によれば流路壁が均一な材料から成りかつ少なくとも部分領域で多層壁であると共に、該部分領域において各層間の隣接表面が互いに結合していないことによって解決される。
【００１０】
この際流路には、壁領域が内蔵され、壁領域は均一な材料から成りかつ部分領域で多層壁である。均一な材料の語では、本発明の領域においては流路壁の単一壁の領域及び多層壁の領域の個別壁が正確に等しい材料から成り、その際多層壁の領域から単一壁の領域への移行領域でも例えば接着継ぎ目又は溶接継ぎ目に見られるような不均一性は存在しないことと理解される。流路壁の構造が移行領域における単一壁の領域及び多層壁の領域で同一である限り、壁が例えばＣＦＫのような多成分材料から成る場合の壁も、本発明の意味では均一である。単一壁の部分領域が移行領域及び多層壁の領域の個別壁と共に１つの作業工程で製造される場合も、材料は本発明の意味では均一である。
【００１１】
流動方向に対して垂直の断面が少なくとも２つの個別壁を切断する場合の流路は本願の意味で多層壁である。この多層壁性は、個別壁の厚さ及びその数の変更によって簡単な方法で流路壁のフレキシビリティーが変えられかつ流動する媒体の内圧に対する流路壁の相異なる強度が達成されることができるという利点を有する。極端に高いフレキシビリティーを得ようとすれば、極端に小さい壁厚さを選択しなければならない。流路壁が追加的に高い内圧をかけられるべき場合、多層壁の領域に非常に多くの個別壁を選択しかつそれによって多層壁の領域の全厚さＤを高めることは有利である。直線弾性的変形領域従って流路壁のフレキシビリティーは、その際等しい全厚さＤの領域が単一壁で実施される場合よりも非常に僅かな程度に減少する、そのわけは等しい変形の際生じる流路壁における最大の伸びは、多層壁の場合には僅かであるからである。追加的に本発明による解決は、全ての個別壁が全面で区画する流路体と固着されており従って固有の流路板で行われると同様な方法で圧縮力を吸収することができるという利点も有する。技術水準と異なり、個別壁では全面でクランプされる壁が対象とされる。
【００１２】
そのような流路壁は、ガス状媒体用の流路にも流動媒体用の流路にも使用されることができる。広い空気流が、例えば巻き取り紙が大きな幅に渡って圧縮されるエアドクターにおいて又は流体が大きな幅に渡って分配され、その厚さが幅にわたって非常に正確に調整されることができる。印刷技術の領域では例えばスリット状の流動ダクトを流れる印刷インクの流動の分配が本発明による装置によって理想的な方法で調整される。結局合成樹脂処理において工具中に存在する溶融流動分配の調整のための多様な使用可能性が得られる。そのような流路壁は、考えられる全ての流路形状に内蔵されることができる。しかしスリット状、円形及びリング状の流路形状がもっもと広い場合である。
【００１３】
流路壁は、均一な材料から成りかつ部分的変形の目的で少なくとも部分領域で多層壁状に実施されている。そのような部分領域は、有利に工具に内蔵されることができ、その際工具に存在する流路が個々の個所で意図して変えられることができるという要請がある。
【００１４】
他の詳細は、図面に基づいて装置並びに個々の方法の個々の実施形態の次の記載から得られる。
【００１５】
【実施例】
本発明による流路壁１の上面図において、図１に示すように、流路壁１の単一壁の領域２と多層壁の領域５との間の妨害されない均一な移行領域３が認められる。妨害されないとは、この場合、何らの材料変化も流路壁の表面に存在せず、例えば溶接継ぎ目又は接着継ぎ目のような何らの結合継ぎ目も存在しないことを言う。即ち、上面図においてプレートの多層壁の領域５は認められない。断面ＩＩ−ＩＩ（図２）及びＩＩＩ−ＩＩＩ（図３）で初めて個別壁６〜９を備えた多層壁の領域５が認められる。個別壁６〜９の壁厚さは、多層壁の領域５の高い弾性の理由から２ｍｍよりも小さい個別壁厚さを有し、好ましくは変形の際の個別壁６〜９の表面の最大伸びを小さく保持するために１ｍｍよりも小さい個別壁厚さを有する。特別の場合に、マイクロメータオーダの個別壁厚さｄを使用することも有利であり得る。多くの場合図５に示すように、流路壁１が片面で少なくとも領域的に他の壁２５によって支持されることも有利であり得る。
【００１６】
場合によっては要求される強度のために、流路壁１が８００ＭＰａよりも大きい強度の材料から成ること、好ましくは１２００ＭＰａよりも大きい強度の材料から成ることも有利であり得る。特別な場合に、多層壁の流路壁で、個別壁厚さｄが、ある区間に渡って可撓性の増大のために減少されることも有利である。スリット状の流路では、多層壁の領域５が一次元的又は多次元的に湾曲されている場合には、多層壁の領域５の直線弾性変形領域が拡大され得る。図４は、流動方向において湾曲された流路流路壁を示す。好ましくは領域５で（図示しない）調整ねじ１０によって多層壁の領域５の個所が圧縮されると、湾曲部の曲げ曲率のみが変えられる。例えば図１〜３の例において湾曲部が存在しない場合、多層壁の領域５の最小の撓みの場合にその長さが変えられなければならず、このことは多層壁の領域における追加的な不所望の引張り応力に繋がる。これらの引張り応力に不可避の曲げ応力が重ねられ、このことは、達成可能な直線弾性変形の減少に繋がり、それによって流路１５は、調整ねじ１０の領域でその高さｈを僅かな寸法のみ減少されることができる。多くの場合、多層壁の領域５が、図５に示すように、流路１の端を形成する場合には有利である。
【００１７】
図６に表すように、多層壁の流路壁５で少なくとも１つの個別壁９上に他の材料から成る他の層１２がある場合、又は少なくとも２つの個別壁８と９の間の多層壁の領域５に他の材料から成る中間層１３がある場合にはしばしば有利であり得る。このことは、例えば流路表面上の滑り防止層又は腐食防止層１２であり得、又は例えば個別壁８と９との間の滑り層又は分離層１３でもあり得る。図７に示すように、流路壁１の多層壁の流路壁５が、２つ又はそれ以上の流路１５及び１６の接続領域１４に配設されている場合には、特に注目される。その際主材料流１７上に流れる第２の材料流１８は、その幅又はその周囲に渡って局部的に限定されて例えば幅又は周囲に渡って配設された簡単な調整ねじ１０によって変えられることができる。調整ねじとして、調整ねじ１０の代わりに、例えば液圧的又は空気圧力的調整システム又は例えば熱膨張ピン、ピエゾトランスレータ及び調整駆動装置のような他のシステムも使用されることができる。
【００１８】
大きな調整作用は、勿論、図８に示すように、少なくとも流路１５の領域で複数の流路壁１９及び２０がそれぞれ領域的に多層壁の流路壁１９及び２０から成る場合及び多層壁の領域２１及び２２が外方の調整要素１０によって少なくとも領域的に局部的に変形可能である場合に達成される。例えば多層壁の領域２１及び２２が図８において向かい合って位置するように配設されている場合、両多層壁の領域２１及び２２が調整ねじ１０によって調整されるように二重の絞り作用が達成される。図９に示す装置によって、流路１５を形成する２つの流路壁２６及び２７の距離ａが、流動方向２８において少なくとも領域的に好適な調整システム２３及び２４によってある長さｌに渡って０．２ｍｍよりも大きく平行に調整可能である。この長さｌは、好ましくは５ｍｍよりも大きくあるべきである。このことは、例えば流路壁２が２つの独立の調整システム２３及び２４によって調整されることが達成されることができる。このことは、使用の際に流動の安定化が流路変更後に望まれる場合には常に有利である。
【００１９】
全ての装置では、個別壁６〜９が狭く重なって位置する場合に有利であり、その結果個別壁は互いに機械的に支持される。多層壁の領域５の局部的調整では、常に流路壁寸法の急激な変化が生じ、その結果流動速度がゼロになる死水領域が回避される。分離平面を有しない均一な流路壁のために調整領域における不緊塞性は生じない。
【００２０】
図１〜９に示すように、そのような多層壁の流路壁１は、本発明により製造されることができ、その際流路壁は段階的に化学的又は物理的分離方法によって又はスプレー、塗布及びラミネート方法によって又は焼結方法又は類似の層状に実施可能な方法によって製造され、その際多層壁の流路壁５で個別壁６〜９の表面が、次の製造段階で新たに塗布される層がその前に製造された個別壁６〜９の表面と結合しないように処理される。この製造方法は、勿論任意の時間に中断され得る。例えばここではそのような多層壁の流路壁１の電気メッキ、電鋳が記載されるべきである。その際正確に所望の流路表面の寸法を有する型上に例えば所望の個別壁６の厚さの第１のニッケル層が生じる。それから分離プロセスが中断されかつ分離された層の自由表面が、流路壁が多層壁に実施されるべき領域５において不活性にされる。不活性とは、この場合、表面が、処理さた領域５における分離プロセスの継続の際に、新たに形成される層７と既に存在する第１層６との間の結合が生じないように処理されることを言う。このことは、例えば分離ラッカーの塗布によって又は分離フィルムの接着によって達成されることができる。不活性にされた領域の外方に、既に成層された第１の層と第２の層とが内部で結合され、その結果流路壁１は、この領域で単一壁である。不活性領域においてのみ、第２の流路壁７が生じ、第２の流路壁はその縁領域３及び４において均一に単一壁の領域２に移行する。このプロセスは原理的に任意に何度も繰り返され得、その結果この方法で、それぞれ均一に単一壁の流路壁領域２に移行する多数の個別壁６〜９が製造されることができる。そのような多層壁の流路壁１の多くの使用にとって、変形の際に個別壁６〜９の表面の間の摩擦を減少させるために、個別壁の間が滑り層と同様にも機能する場合に有利である。しかし必ずしも不活性のために中間層１３が使用される必要はない。個別壁の表面は、表面帯電又は表面張力の変化によっても不活性化されることができる。この場合、個別壁６〜９の間に他の材料から成る中間層は生じない。本発明による製造方法は、個別壁６〜９が互いに支持されることも確保する、そのわけは、本発明による製造方法は、仕上げ方法の際に方法的に制約されて複雑な多次元壁寸法でも自動的に非常に密に重なって配設されているからである。
【図面の簡単な説明】
【図１】  図１は、部分領域において多層壁である均一な流路壁の上面図である。
【図２】  図２は、図１にＩＩ−ＩＩ線に沿う断面図である。
【図３】  図３は、図１のＩＩＩ−ＩＩＩ線に沿う断面図である。
【図４】  図４は、多層壁の領域が湾曲している流路壁部分の断面図である。
【図５】  図５は、流路の端に多層壁の可撓領域がある流路壁の断面図である。
【図６】  図６は、個別壁上に他の材料から成る層がある流路壁の断面図である。
【図７】  図７は、２つの流路が連結された流路部分の断面図である。
【図８】  図８は２つの多層壁の可撓性流路壁が形成された流路部分の断面図である。
【図９】  図９は、流路壁が流動方向において領域的に平行に調整可能である工具の断面図である。
【符号の説明】
１    流路壁
５    多層壁の領域
６    個別壁
７    個別壁
８    個別壁
９    個別壁
【図１】
0004202605.tif 000002
【図２】
0004202605.tif 000003
【図３】
0004202605.tif 000004
【図４】
0004202605.tif 000005
【図５】
0004202605.tif 000006
【図６】
0004202605.tif 000007
【図７】
0004202605.tif 000008
【図８】
0004202605.tif 000009
【図９】
0004202605.tif 000010